(57)【要約】【課題】  電線への組付作業性を向上することができると共に、電線管本体の閉状態を確実に保持する。【解決手段】  可撓性を有し、長手方向に沿って開くためのスリット２１が設けられた長尺筒状の電線管本体２３と、前記スリット２１の一方の縁部２５に設けられた係合部２７と、前記スリット２１の他方の縁部２９に前記係合部２７との間に所定の隙間を有して設けられ、前記係合部２７に係合する被係合部３１とを備え、前記電線管本体２３を閉状態として前記係合部２７を前記被係合部３１に係合させ、この係合部２７と被係合部３１との係合状態が前記電線管本体２３の復元力により保持される。【選択図】      図１
2006042469.tif 000002
【特許請求の範囲】
【請求項１】
可撓性を有し、長手方向に沿って開くためのスリットが設けられた長尺筒状の電線管本体と、前記スリットの一方の縁部に設けられた係合部と、前記スリットの他方の縁部に前記係合部との間に所定の隙間を有して設けられ、前記係合部に係合する被係合部とを備え、
前記電線管本体を閉状態として前記係合部を前記被係合部に係合させ、この係合部と被係合部との係合状態が前記電線管本体の復元力により保持されることを特徴とする可撓電線管。
【請求項２】
請求項１記載の可撓電線管において、
前記係合部が、前記スリットの両縁部のいずれか一方の端縁に設けられた連結部と、この連結部の先端から前記電線管本体の外側に向けて突設された係合壁部とからなり、
前記被係合部が、前記スリットの他方の縁部の端縁に設けられた連結部と、この連結部の先端から前記電線管本体の内側に向けて突設され、外側面が前記係合壁部の外側面に所定の隙間を有して対向し、内側面が前記係合壁部の内側面に係合する被係合壁部とからなることを特徴とする可撓電線管。
【請求項３】
請求項１または２記載の可撓電線管において、
前記係合部および前記被係合部に、相互に摺動して前記係合部と前記被係合部との係合を案内する案内壁を設けたことを特徴とする可撓電線管。
【発明の詳細な説明】
【技術分野】
【０００１】
本発明は、自動車のエンジンルームなどに配索された電線を、熱などから保護するために被覆する可撓電線管に関する。
【背景技術】
【０００２】
従来の可撓電線管としては、例えば図３，図４に示すものがある（特許文献１参照。）。この可撓電線管１は、図３，図４に示すように、可撓性を有し、長手方向に沿って開くためのスリット３が設けられた長尺筒状の電線管本体５と、スリット３の一方の縁部に設けられた嵌合部７と、スリット３の他方の縁部に設けられ、嵌合部７と嵌合する被嵌合部９とを備えている。
【０００３】
嵌合部７は、スリット３の一方の縁部の端縁に長手方向に沿って設けられ、上方に突出した凸条部１３を有している。また、被嵌合部９は、スリット３の他方の縁部の端縁に長手方向に沿って設けられ、嵌合部７の凸条部１３と略同一形状に形成されて凸条部１３が挿入される凹条部１７を有している。
【０００４】
このような可撓電線管１を用いる場合には、まず、スリット３の両端縁を離間させて電線管本体５を開状態とし、この状態で電線管本体５を電線（不図示）に被せる。その後、スリット３の両端縁を相互に近接させて電線管本体５を閉状態とする。そして、電線管本体５を閉状態としたときには、凸条部１３を凹条部１７内に挿入することで嵌合部７と被嵌合部９とを嵌合させる。
【０００５】
この状態では、凸条部１３と凹条部１７とが略同一形状であるため、不用意な力などにより凸条部１３が凹条部１７から抜けるなどの不具合が防止されており、嵌合部７と被嵌合部９との嵌合が確実に保持されている。
【０００６】
このため、可撓電線管１は、内部に電線を挿通した電線管本体５の閉状態が嵌合部７と被嵌合部７との嵌合により確実に保持されて電線に組み付けられている。
【特許文献１】実開昭６３−１２９７９６号公報
【発明の開示】
【発明が解決しようとする課題】
【０００７】
しかしながら、上記従来の可撓電線管１では、凸条部１３と凹条部１７とが略同一形状であるため、嵌合部７と被嵌合部７とを嵌合するとき、凸条部１３と凹条部１７とを確実に一致させた後、凸条部１３を凹条部１７に挿入する必要があった。したがって、可撓電線管１では、嵌合部７と被嵌合部７との嵌合作業性が悪く、電線への組付作業性が悪かった。
【０００８】
逆に、可撓電線管１では、電線への組付作業性を向上させるために凸条部１３を凹条部１７に対して若干小さい形状となるように凸条部１３または凹条部１７を設定すると、凸条部１３から凹条部１７が抜けやすくなる。このように、凸条部１３が凹条部１７から抜けやすくなると、可撓電線管１は、電線管本体５の閉状態を保持することができず、電線から外れるおそれがあった。
【０００９】
そこで、本発明は、電線への組付作業性を向上することができると共に、電線管本体の閉状態を確実に保持することができる可撓電線管の提供を目的とする。
【課題を解決するための手段】
【００１０】
上記目的を達成するため、請求項１記載の発明は、可撓性を有し、長手方向に沿って開くためのスリットが設けられた長尺筒状の電線管本体と、前記スリットの一方の縁部に設けられた係合部と、前記スリットの他方の縁部に前記係合部との間に所定の隙間を有して設けられ、前記係合部に係合する被係合部とを備え、前記電線管本体を閉状態として前記係合部を前記被係合部に係合させ、この係合部と被係合部との係合状態が前記電線管本体の復元力により保持されることを特徴とする。
【００１１】
このように構成された請求項１記載の発明では、スリットの両縁部を相互に離間させて電線管本体を開状態とし、この状態で電線管本体を電線に被せる。そして、スリットの両縁部を相互に近接させて電線管本体を閉状態とすると共に、係合部と被係合部とを相互に引っかけて係合させる。この状態では、電線管本体の復元力により付勢されて係合部と被係合部との係合状態が保持される。
【００１２】
請求項２記載の発明は、請求項１記載の可撓電線管において、前記係合部が、前記スリットの両縁部のいずれか一方の端縁に設けられた連結部と、この連結部の先端から前記電線管本体の外側に向けて突設された係合壁部とからなり、前記被係合部が、前記スリットの他方の縁部の端縁に設けられた連結部と、この連結部の先端から前記電線管本体の内側に向けて突設され、外側面が前記係合壁部の外側面に所定の隙間を有して対向し、内側面が前記係合壁部の内側面に係合する被係合壁部とからなることを特徴とする。
【００１３】
このように構成された請求項２記載の発明は、スリットの一方の端縁を他方の端縁に対して内側に変位させ、係合部が被係合部に対して内側に配置されるようにスリットの両端縁を相互に近接させる。そして、係合部の係合壁部の内側面を被係合部の被係合壁部の内側面に当接させることで係合部と被係合部とを相互に引っかけて係合させる。
【００１４】
そして、係合部と被係合部との係合状態は、電線管本体の復元力により係合壁部の外側面と被係合壁部の外側面とが付勢されて相互に密着、当接することで保持される。
【００１５】
請求項３記載の発明は、請求項１または２記載の可撓電線管において、前記係合部および前記被係合部に、相互に摺動して前記係合部と前記被係合部との係合を案内する案内壁を設けたことを特徴とする。
【００１６】
このように構成された請求項３記載の発明は、係合部の案内壁と被係合部の案内壁とが相互に摺動して係合部と被係合部との係合を案内する。
【発明の効果】
【００１７】
以上説明したように請求項１記載の発明は、係合部と被係合部とを相互に引っかけて係合させ、電線管本体の復元力により付勢されて係合部と被係合部との係合状態が確実に保持される。
【００１８】
このため、請求項１記載の発明では、係合部と被係合部との係合作業性を向上し、電線への組付作業性を向上することができ、かつ電線に組み付けられた状態で電線管本体の閉状態を確実に保持することができ、電線から外れるなどの不具合を確実に防止することができる。
【００１９】
請求項２記載の発明は、係合壁部の内側面を被係合壁部の内側面に当接させて係合部と被係合部とを相互に引っかけて係合する。
【００２０】
そして、係合部と被係合部との係合状態は、電線管本体の復元力により係合壁部の内側面と被係合壁部の内側面とが付勢されて相互に密着、当接することで確実に保持される。
【００２１】
このため、請求項２記載の発明では、係合部の被係合部への係合作業性を向上し、電線への組付作業性を向上することができ、かつ電線に組み付けられた状態で電線管本体の閉状態を確実に保持することができ、電線から外れるなどの不具合を確実に防止することができる。
【００２２】
請求項３記載の発明は、係合部の案内壁と被係合部の案内壁とが相互に摺動して係合部と被係合部との係合を案内するため、電線への組付作業性を、より向上することができる。
【発明を実施するための最良の形態】
【００２３】
以下、本発明にかかる可撓電線管の一実施形態について説明する。図１は、本発明にかかる可撓電線管を示す正面図であり、図２は、図１に示す可撓電線管の係合部と被係合部とが相互に係合している状態の拡大正面図である。
【００２４】
本実施形態の可撓電線管１９は、図１に示すように、可撓性を有し、長手方向に沿って開くためのスリット２１が設けられた長尺筒状の電線管本体２３と、スリット２１の一方の縁部２５に設けられた係合部２７と、スリット２１の他方の縁部２９に係合部２７との間に所定の隙間を有して設けられ、係合部２７に係合する被係合部３１とを備えている。
【００２５】
電線管本体２３は、蛇腹状に形成されており、合成樹脂などからなる略円筒形状の外周壁３３に、この外周壁３３を長手方向（紙面直行方向）の所定ピッチごとに屈曲させて形成された複数の環状突起３５が設けられている。この電線管本体２３の上部には、スリット２１が設けられている。なお、電線管本体２３は、複数の環状突起３５を有した蛇腹状に形成されているが、複数の環状突起３５を省略して断面が長手方向に一様な長尺筒状でもよい。
【００２６】
スリット２１は、電線管本体２３の長手方向の一側から他側にかけて設けられている。このスリット２１は、両端縁３７，３９間に所定のピッチを有し、両端縁３７，３９を相互に近接、離間されることで電線管本体２３を開閉可能としている。
【００２７】
上述したようにスリット２１の一方の縁部２５に設けられている係合部２７は、スリット２１の縁部２５の端縁３７に長手方向に沿って設けられた連結部４１と、この連結部４１の先端から上方（電線管本体２３の外側）に向けて突設された係合壁部４３とからなる。連結部４１は、スリット２１の端縁３７下部から下方（電線管本体２３の内側）に向けて突設された縦壁４５と、この縦壁４５の先端からスリット２１の他方の縁部２９側に向けて突設された横壁４７とからなる。
【００２８】
縦壁４５は、横壁４７をスリット２１の端縁３７下部に対して下方に配置しており、横壁４７は、先端に係合壁部４３が設けられている。
【００２９】
係合壁部４３は、矩形板状体からなり、横壁４７の先端に長手方向に沿って上方に向けて突設されている。この係合壁部４３は、先端が環状突起３５のスリット２１の端縁３７，３９に面した上縁に対して若干下方に配置されている。この係合壁部４３の先端には、スリット２１の他方の縁部２９側に向けて次第に下方に傾斜した案内壁４９が長手方向に沿って設けられている。
【００３０】
一方、被係合部３１は、スリット２１の他方の縁部２９の端縁３９に長手方向に沿って設けられた連結部５１と、この連結部５１の先端から下方に向けて突設された被係合壁部５３とからなる。
【００３１】
連結部５１は、スリット２１の縁部２９の端縁３９下部から上方に向けて突設された縦壁５５と、この縦壁５５の先端からスリット２１の一方の縁部２５側に向けて突設された横壁５７とで形成されている。
【００３２】
縦壁５５は、先端がスリット２１の他方の端縁３９に面した電線管本体２３の環状突起３５の上縁と略面一となっている。この縦壁５５の先端に設けられた横壁５７は、上面が電線管本体２３の環状突起３５の外周面にならって形成されてその環状突起３５の外周面と略面一となっている。また、横壁５７の下面は、上述した係合壁部４３の先端と略同一か若干上方の上下方向位置に配置されている。このような横壁５７の先端には、被係合壁部５３が設けられている。
【００３３】
被係合壁部５３は、矩形板状体からなり、横壁５７の先端に長手方向に沿って下方に突設され、内側面５９が縦壁５５の内側面６１との間に係合壁部４３の厚みよりも大きい寸法の隙間を有している。この被係合壁部５３の内側面５９は、係合部２７と被係合部３１との係合状態で、係合壁部４３の内側面６２に密着、当接するようになっている。また、被係合壁部５３は、外側面６３が係合壁部４３の外側面６５に所定の隙間を有して対向している。また、被係合壁部５３は、先端が係合部２７の横壁４７の上面と略同一か若干上方の上下方向位置に配置されている。この被係合壁部５３の先端には、スリット２１の一方の端部２５側に向けて次第に上方に傾斜し、先端が係合壁部４３の案内壁４９の先端と若干隙間を有して対向している案内壁６７が長手方向に沿って設けられている。
【００３４】
このように形成された可撓電線管１９を用いる場合には、まず、スリット２１の両端縁３７，３９を相互に離間させて電線管本体２３を開状態とし、この状態で電線管本体２３を電線（不図示）に被せる。その後、スリット２１の両端縁３７，３９を相互に近接させて電線管本体２３を閉状態とすると共に、係合部２７と被係合部３１とを係合させる。
【００３５】
スリット２１の両端縁３７，３９を相互に近接させて電線管本体２３を閉状態とすると共に、係合部２７と被係合部３１とを係合させるときには、予め、スリット２１の一方の端縁３７を他方の端縁３９に対して下方に変位させておく。この状態で、スリット２１の両端縁３７，３９を相互に近接させると、係合部２７の案内壁４９と被係合部３１の案内壁６７とが当接し、これらの案内壁４９と案内壁６７とが相互に摺動して係合壁部４３と被係合壁部５３とを撓ませると共に、係合部２７と被係合部３１とを次第に上下にずらす。
【００３６】
そこで、スリット２１の両端縁３７，３９をさらに近接させると、係合壁部４３と被係合壁部５３とが相互に乗り越え、係合部２７の係合壁部４３が被係合部３１の被係合壁部５３と縦壁５５との内側面５９，６１間に収容される。このとき、被係合部３１の被係合壁部５３の内側面５９と縦壁５５の内側面６１との間には、係合部２７の係合壁部４３の厚みよりも大きい寸法の隙間が形成されているため、係合壁部４３を容易に収容させることができる。
【００３７】
この状態では、図２に示すように、係合壁部４３の内側面６２と被係合壁部５３の内側面５９とが当接しており、係合部２７と被係合部３１とを相互に引っかけて係合している。
【００３８】
また、係合部２７と被係合部３１との間の隙間が閉塞されて電線管本体２３が内部に電線を挿通した閉状態となっており、可撓電線管１９が電線（不図示）に組み付けられている。
【００３９】
このとき、電線管本体２３を外力の加わっていない状態とすると、電線管本体２３が自身の復元力によりスリット２１の両端縁３７，３９を相互に離間させようとする。このため、係合壁部４３と被係合壁部５３とは、電線管本体２３の復元力により相互に近接する方向に付勢されて内側面５９，６２が密着、当接する。
【００４０】
この結果、可撓電線管１９は、電線への組付状態で係合部２７と被係合部３１との係合状態が確実に保持され、電線管本体２３の閉状態が確実に保持される。
【００４１】
上記本実施形態の可撓電線管１９では、係合壁部４３を被係合壁部５３と縦壁５５との間の隙間に収容させ、係合壁部４３の内側面６２を被係合壁部５３の内側面５９に当接させることで係合部２７と被係合部３１とを相互に引っかけて係合させるため、係合部２７と被係合部３１との係合作業性を向上することができる。
【００４２】
そして、係合部２７と被係合部３１との係合状態は、電線管本体２３の復元力により係合壁部４３の内側面６２と被係合壁部５３の内側面５９とが付勢されて相互に密着、当接することで確実に保持される。
【００４３】
この結果、可撓電線管１９では、電線への組付作業性を向上することができ、かつ電線に組み付けられた状態で電線管本体２３の閉状態を確実に保持することができ、電線から外れるなどの不具合を確実に防止することができる。
【００４４】
また、可撓電線管１９では、係合部２７と被係合部３１とを相互に引っかけて係合させるため、係合部２７と被係合部３１とを電線管本体２３の長手方向の中間部分などでも確実に係合させることができる。
【００４５】
このため、可撓電線管１９では、電線に組み付けられた状態で電線管本体２３を確実に閉状態とすることができ、電線から外れるなどの不具合を、より確実に防止することができる。
【００４６】
さらに、可撓電線管１９では、係合部２７の案内壁４９と被係合部３１の案内壁６７とが相互に摺動して係合部２７と被係合部３１との係合を案内するため、電線への組付作業性を、より向上することができる。
【００４７】
また、可撓電線管１９では、係合部２７と被係合部３１との係合状態が電線管本体２３の復元力により係合壁部４３の内側面６２と被係合壁部５３の内側面５９とが付勢されて相互に密着、当接することで確実に保持されるため、係合部２７および被係合部３１の形状を簡素化することができる。
【００４８】
なお、上記実施形態の可撓電線管１９では、係合壁部４３と被係合壁部５３とがそれぞれ上下方向に沿って設けられていたが、上下方向に対して傾斜させてもよい。この場合には、係合部２７と被係合部３１との係合時に内側面５９，６２を相互に、より確実に密着させることができる。このため、係合部２７と被係合部３１との係合状態を、より確実に保持することができる。
【００４９】
また、係合部２７および被係合部３１は、例えば、少なくともいずれか一方をスリット２１の縁部２５，２９に形成した開口でもよく、電線管本体２３の復元力により係合を保持するよう形状であればよい。
【図面の簡単な説明】
【００５０】
【図１】図１は、本発明にかかる可撓電線管を示す正面図である。
【図２】図２は、図１に示す可撓電線管の係合部と被係合部とが相互に係合している状態の拡大正面図である。
【図３】図３は、従来の可撓電線管を示す斜視図である。
【図４】図４は、図３に示す可撓電線管の正面図である。
【符号の説明】
【００５１】
１９  可撓電線管
２１  スリット
２３  電線管本体
２５，２９  縁部
２７  係合部
３１  被係合部
４１，５１  連結部
４３  係合壁部
５３  被係合壁部
５９  被係合壁部の内側面
６１  係合壁部の内側面
６３  被係合壁部の外側面
６５  係合壁部の外側面
【図１】
2006042469.tif 000003
【図２】
2006042469.tif 000004
【図３】
2006042469.tif 000005
【図４】
2006042469.tif 000006